(57)【要約】【課題】内燃機関の回転速度が異常に上昇している状態を運転者に知らせる機能を持たせた電流遮断形の内燃機関用点火装置を提供する。【解決手段】内燃機関の回転速度が制限値を超えたときに回転速度制限用スイッチ３Ｈをオン状態にして点火コイル１Ａの一次電流の遮断を阻止することにより点火動作を停止させて回転速度を制限値以下に制限する回転速度制限回路３を備えた電流遮断形の内燃機関用点火装置において、回転速度制限用スイッチ３Ｈとともにオン状態になる警告表示用スイッチ（ＴＲ３）を設け、回転速度制限回路の電源回路３Ａから警告表示用スイッチを通して発光ダイオードＬＤに電流を流すことにより、発光ダイオードＬＤを発光させて、機関の回転速度が制限値に近づいていることを表示させる。【選択図】    図１
2004353534.tif 000002
【特許請求の範囲】
【請求項１】
内燃機関により駆動される発電機内に設けられて、一方の極性の第１の半波の電圧と他方の極性の第２の半波の電圧と一方の極性の第３の半波の電圧とが順次現れる１サイクル半の交流電圧を前記内燃機関の１回転当たり１回だけ一次コイルに誘起する点火コイルと、前記点火コイルの一次コイルに対して並列に接続された一次電流制御用スイッチと、前記一次コイルに第２の半波の電圧が誘起したときに前記一次電流制御用イッチをオン状態にし、前記一次コイルから一次電流制御用スイッチを通して流れる一次電流が所定値に達したときに前記一次電流制御用スイッチをオフ状態にするスイッチ制御回路とを有する点火回路と、
前記一次コイルに対して並列に設けられた回転速度制限用スイッチと、前記内燃機関の回転速度が設定値以下のときには前記回転速度制限用スイッチをオフ状態に保持し、前記回転速度が設定値を超える領域では内燃機関の回転速度の上昇に伴って回転速度制限用スイッチをオン状態にするタイミングを進めて回転速度が前記設定値よりも高い値に設定された制限値に達したときに前記スイッチ制御回路が一次電流制御用スイッチをオフ状態にするタイミングで回転速度制限用スイッチをオン状態にするように、前記内燃機関の回転速度に応じて回転速度制限用スイッチを制御する回転速度制限用スイッチ制御部と、前記点火コイルの一次コイルに誘起する電圧を直流電圧に変換して前記回転速度制限用スイッチ制御部に電源電圧を与える電源回路とを有する回転速度制限回路とを備えた内燃機関用点火装置において、
前記回転速度制限用スイッチと共にオンオフするように設けられた警告表示用スイッチと、前記電源回路から前記警告表示用スイッチを通して駆動電流が与えられて表示動作を行う警告表示器とを具備してなる内燃機関用点火装置。
【請求項２】
内燃機関により駆動される発電機内に設けられて、一方の極性の第１の半波の電圧と他方の極性の第２の半波の電圧と一方の極性の第３の半波の電圧とが順次現れる１サイクル半の交流電圧を前記内燃機関の１回転当たり１回だけ一次コイルに誘起する点火コイルと、前記点火コイルの一次コイルに対して並列に接続された一次電流制御用スイッチと、前記一次コイルに第２の半波の電圧が誘起したときに前記一次電流制御用イッチをオン状態にし、前記一次コイルから一次電流制御用スイッチを通して流れる一次電流が所定値に達したときに前記一次電流制御用スイッチをオフ状態にするスイッチ制御回路とを有する点火回路と、
前記一次コイルに誘起する第１の半波の電圧及び第３の半波の電圧を直流電圧に変換する電源回路と、前記電源回路から電源電圧が与えられ、前記一次コイルに前記第１の半波の電圧が誘起したときにトリガされて設定された時間幅を有する矩形波信号を前記内燃機関の１回転当たり１回だけ発生する矩形波信号発生回路と、前記矩形波信号が発生している期間積分コンデンサを一定の時定数で充電し、前記矩形波信号が消滅している期間前記積分コンデンサを一定の時定数で放電させて前記積分コンデンサの両端に積分電圧を発生させる積分回路と、前記積分電圧を基準電圧と比較して前記積分電圧が基準電圧以下のときに出力が第１の状態になり、前記積分電圧が基準電圧を超えたときに出力が第２の状態になる比較回路と、前記一次コイルに対して並列に設けられて前記比較回路の出力が第１の状態にあるときにオフ状態を保持し、前記比較回路の出力が第２の状態にあるときにオン状態になるように前記比較回路の出力に応じてオンオフ制御される回転速度制限用スイッチとを有する回転速度制限回路とを備え、
前記内燃機関の回転速度が制限値に達したときに前記スイッチ制御回路が前記一次電流制御用スイッチをオフ状態にするタイミングで前記回転速度制限用スイッチがオン状態になるように前記矩形波信号の時間幅と前記積分コンデンサの充電時定数及び放電時定数とが設定されている内燃機関用点火装置において、
前記比較器の出力が第２の状態になったときにオン状態になる警告表示用スイッチと、前記電源回路から前記警告表示用スイッチを通して駆動電流が与えられて表示動作を行う警告表示器とを具備してなる内燃機関用点火装置。
【請求項３】
内燃機関により駆動される発電機内に設けられて、一方の極性の第１の半波の電圧と他方の極性の第２の半波の電圧と一方の極性の第３の半波の電圧とが順次現れる交流電圧を前記内燃機関の１回転当たり１回だけ一次コイルに誘起する点火コイルと、前記点火コイルの一次コイルに対して並列に接続された一次電流制御用スイッチと、前記一次コイルに第２の半波の電圧が誘起したときに前記一次電流制御用スイッチをオン状態にし、前記一次コイルから一次電流制御用スイッチを通して流れる一次電流が所定値に達したときに前記一次電流制御用スイッチをオフ状態にするスイッチ制御回路とを有する点火回路と、
前記一次コイルに誘起する第１の半波の電圧及び第３の半波の電圧を直流電圧に変換する電源回路と、前記電源回路から電源電圧が与えられ、前記一次コイルに前記第１の半波の電圧が誘起したときにトリガされて前記内燃機関の１回転当たり１回だけ設定された時間幅を有する矩形波信号を発生する矩形波信号発生回路と、前記矩形波信号が発生している期間第１の積分コンデンサを一定の時定数で充電し、前記矩形波信号が消滅している期間前記第１の積分コンデンサを一定の時定数で放電させて前記第１の積分コンデンサの両端に第１の積分電圧を発生させる第１の積分回路と、前記矩形波信号が発生している間第２の積分コンデンサを一定の時定数で充電し、前記矩形波信号が消滅したときに前記第２の積分コンデンサを瞬時に放電させて前記第２の積分コンデンサの両端に第２の積分電圧を発生させる第２の積分回路と、前記第１の積分電圧を基準電圧と比較して前記第１の積分電圧が基準電圧以下のときに出力が第１の状態になり、前記第１の積分電圧が基準電圧を超えたときに出力が第２の状態になる第１の比較器と、前記第２の積分電圧を参照電圧と比較して前記第２の積分電圧が参照電圧を超えたときに出力が第１の状態になり、前記第２の積分電圧が前記参照電圧以下のときに出力が第２の状態になる第２の比較器と、前記一次コイルに対して並列に設けられて、前記第１の比較器の出力及び第２の比較器の出力が共に第２の状態にあるときにオン状態になって前記一次コイルを短絡し、前記第１の比較器の出力または第２の比較器の出力の少なくとも一方が第１の状態にあるときにオフ状態になって前記一次コイルの短絡を解除するように前記第１の比較器及び第２の比較器の出力に応じてオンオフ制御される回転速度制限用スイッチとを有する回転速度制限回路とを備え、
前記内燃機関の回転速度が制限値に達したときに前記スイッチ制御回路が一次電流制御用スイッチをオン状態からオフ状態にするタイミングで前記第１の積分電圧が前記基準電圧を超えた状態になるように前記矩形波信号の時間幅と前記第１の積分コンデンサの充電時定数及び放電時定数とが設定され、前記内燃機関の回転速度が前記制限値に達したときに前記スイッチ制御回路が前記一次電流制御用スイッチをオン状態からオフ状態にするタイミングよりも遅れたタイミングで前記第２の積分電圧が前記参照電圧を超えるように前記参照電圧のレベルが設定されている内燃機関用点火装置において、
前記第１の比較器の出力及び第２の比較器の出力が共に第２の状態にあるときにオン状態になる警告表示用スイッチと、前記電源回路から前記警告表示用スイッチを通して駆動電流が与えられて表示動作を行う警告表示器とを具備してなる内燃機関用点火装置。
【発明の詳細な説明】
【０００１】
【発明の属する技術分野】
本発明は、内燃機関の過回転を防止する機能を備えた電流遮断形の内燃機関用点火装置に関するものである。
【０００２】
【従来の技術】
電流遮断形の内燃機関用点火装置として、内燃機関により駆動される発電機内に設けられて、一方の極性の第１の半波の電圧と他方の極性の第２の半波の電圧と一方の極性の第３の半波の電圧とが順次現れる１サイクル半の交流電圧を内燃機関の１回転当たり１回だけ一次コイルに誘起する点火コイルと、点火コイルの一次コイルに対して並列に接続された一次電流制御用スイッチと、一次コイルに第２の半波の電圧が発生したときに一次電流制御用スイッチをオン状態にし、一次コイルから一次電流制御用スイッチを通して流れる一次電流が所定値に達したときに一次電流制御用スイッチをオフ状態にするスイッチ制御回路とを備えたものが用いられている。
【０００３】
この種の点火装置では、一次電流制御用スイッチのオフ動作により点火コイルの一次電流を遮断して点火コイルの二次コイルに点火用高電圧を誘起させ、この高電圧を機関の気筒に取り付けられた点火プラグに印加することにより、点火動作を行わせる。
【０００４】
内燃機関駆動車両においては、暴走を防止したり、内燃機関が破損したりするのを防ぐため、内燃機関の回転速度を制限する機能を内燃機関用点火装置に持たせることが行われている。
【０００５】
上記のような電流遮断形の点火装置に内燃機関の回転速度を制限する機能を持たせるため、本出願人は先に、特許文献１に示されている内燃機関用点火装置を提案した。
【０００６】
この既提案の点火装置では、点火回路に回転速度制限回路を接続して、この回転速度制限回路の働きにより、機関の回転速度が制限値を超えたときに点火時期を遅らせるか、または点火動作を停止させることにより、機関の回転速度を低下させるようにしている。
【０００７】
特許文献１に示された回転速度制限回路は、一次コイルに対して並列に設けられた回転速度制限用スイッチと、内燃機関の回転速度の上昇に伴って回転速度制限用スイッチをオン状態にするタイミングを進めて、回転速度が制限値に達したときにスイッチ制御回路が一次電流制御用スイッチをオフ状態にするタイミングで回転速度制限用スイッチをオン状態にするように回転速度制限用スイッチを制御する回転速度制限用スイッチ制御部と、点火コイルの一次コイルに誘起する電圧を直流電圧に変換して回転速度制限用スイッチ制御部に電源電圧を与える電源回路とを備えていて、内燃機関の回転速度が制限値に達したときにスイッチ制御回路が一次電流制御用スイッチをオフ状態にするタイミングで回転速度制限用スイッチをオン状態にするように回路定数を設定することにより、点火時期に点火コイルの一次電流が遮断されるのを阻止するようにしている。
【０００８】
このように構成すると、機関の回転速度が制限値を超えた時に機関の点火動作が停止するため、機関の回転速度が制限値を超えるのを防止することができる。
【０００９】
【特許文献１】
特開２０００−３３７２３６号公報
【００１０】
【発明が解決しようとする課題】
既提案の内燃機関用点火装置では、機関の回転速度が過度に上昇して回転速度制限回路が働いている状態を運転者に知らせる手段が無かったため、何らかの原因で機関の回転速度が上昇して回転速度制限回路が繰り返し働く状態が生じたときに、運転者がそれに気づかずに運転を続け、内燃機関が損傷するおそれがあった。
【００１１】
本発明の目的は、機関の回転速度が制限値に近づいたときに警告表示を行わせることができるようにした内燃機関用点火装置を提供することにある。
【００１２】
【課題を解決するための手段】
本発明は、内燃機関により駆動される発電機内に設けられて、一方の極性の第１の半波の電圧と他方の極性の第２の半波の電圧と一方の極性の第３の半波の電圧とが順次現れる１サイクル半の交流電圧を前記内燃機関の１回転当たり１回だけ一次コイルに誘起する点火コイルと、点火コイルの一次コイルに対して並列に接続された一次電流制御用スイッチと、一次コイルに第２の半波の電圧が誘起したときに一次電流制御用イッチをオン状態にし、一次コイルから一次電流制御用スイッチを通して流れる一次電流が所定値に達したときに一次電流制御用スイッチをオフ状態にするスイッチ制御回路とを有する点火回路と、内燃機関の回転速度を制限するように点火回路を制御する回転速度制限回路とを備えた内燃機関用点火装置を対象とする。
【００１３】
本発明が対象とする点火装置においては、上記回転速度制限回路が、一次コイルに対して並列に設けられた回転速度制限用スイッチと、内燃機関の回転速度が設定値以下のときには回転速度制限用スイッチをオフ状態に保持し、前記回転速度が設定値を超える領域では内燃機関の回転速度の上昇に伴って回転速度制限用スイッチをオン状態にするタイミングを進めて回転速度が上記設定値よりも高い値に設定された制限値に達したときにスイッチ制御回路が一次電流制御用スイッチをオフ状態にするタイミングで回転速度制限用スイッチをオン状態にするように、前記内燃機関の回転速度に応じて回転速度制限用スイッチを制御する回転速度制限用スイッチ制御部と、点火コイルの一次コイルに誘起する電圧を直流電圧に変換して回転速度制限用スイッチ制御部に電源電圧を与える電源回路とにより構成される。
【００１４】
本発明においては、回転速度制限用スイッチと共にオンオフするように設けられた警告表示用スイッチと、電源回路から警告表示用スイッチを通して駆動電流が与えられて表示動作を行う警告表示器とを設けて、機関の回転速度が制限値に近づいて設定値を超え、回転速度制限用スイッチがオン状態になるようになったときに、電源回路から警告表示用スイッチを通して警告表示器に駆動電流を流すことにより、該警告表示器に表示動作を行わせるようにした。
【００１５】
上記警告表示器としては、発光ダイオードのような発光表示手段を用いてもよく、ブザーのような発音表示手段を用いてもよい。
【００１６】
上記のように構成すると、機関の回転速度が制限値に近づいた時に警告表示器に表示動作を行わせることができるため、内燃機関の回転速度が制限値に達する前に、回転速度が上昇していることを運転者に知らせることができる。従って、回転速度が過度に上昇して回転速度制限回路が繰り返し回転速度制限動作を行う状態で、機関の運転が継続されて、機関が破損するのを防ぐことができる。
【００１７】
本発明の好ましい態様では、上記回転速度制限回路が、内燃機関により駆動される発電機内に設けられて点火コイルの一次コイルに誘起する第１の半波の電圧及び第３の半波の電圧を直流電圧に変換する電源回路と、電源回路から電源電圧が与えられ、一次コイルに第１の半波の電圧が誘起したときにトリガされて内燃機関の１回転当たり１回だけ設定された時間幅を有する矩形波信号を発生する矩形波信号発生回路と、矩形波信号が発生している期間積分コンデンサを一定の時定数で充電し、矩形波信号が消滅している期間積分コンデンサを一定の時定数で放電させて積分コンデンサの両端に三角波形の積分電圧を発生させる積分回路と、積分電圧を基準電圧と比較して積分電圧が基準電圧以下のときに出力が第１の状態になり、積分電圧が基準電圧を超えたときに出力が第２の状態になる比較回路と、一次コイルに対して並列に設けられて比較回路の出力が第１の状態にあるときにオフ状態を保持し、比較回路の出力が第２の状態にあるときにオン状態になるように比較回路の出力に応じてオンオフ制御される回転速度制限用スイッチとにより構成される。
【００１８】
上記の回転速度制限回路においては、内燃機関の回転速度が制限値に達したときにスイッチ制御回路が一次電流制御用スイッチをオフ状態にするタイミングで回転速度制限用スイッチがオン状態になるように矩形波信号の時間幅と積分コンデンサの充電時定数及び放電時定数とが設定される。
【００１９】
このように回転速度制限回路が構成される場合には、比較器の出力が第２の状態になったときにオン状態になる警告表示用スイッチを設けて、電源回路から警告表示用スイッチを通して警告表示器に駆動電流を流すことにより、該警告表示器に表示動作を行わせる。
【００２０】
本発明の他の好ましい態様では、上記回転速度制限回路が、点火コイルの一次コイルに誘起する第１の半波の電圧及び第３の半波の電圧を直流電圧に変換する電源回路と、該電源回路から電源電圧が与えられ、点火コイルの一次コイルに第１の半波の電圧が誘起したときにトリガされて内燃機関の１回転当たり１回だけ設定された時間幅を有する矩形波信号を発生する矩形波信号発生回路と、矩形波信号が発生している期間第１の積分コンデンサを一定の時定数で充電し、矩形波信号が消滅している期間第１の積分コンデンサを一定の時定数で放電させて該第１の積分コンデンサの両端に第１の積分電圧を発生させる第１の積分回路と、矩形波信号が発生している間第２の積分コンデンサを一定の時定数で充電し、矩形波信号が消滅したときに第２の積分コンデンサを瞬時に放電させて該第２の積分コンデンサの両端に第２の積分電圧を発生させる第２の積分回路と、第１の積分電圧を基準電圧とを比較して第１の積分電圧が基準電圧以下のときに出力が第１の状態になり、第１の積分電圧が基準電圧を超えたときに出力が第２の状態になる第１の比較器と、第２の積分電圧を参照電圧と比較して第２の積分電圧が参照電圧を超えたときに出力が第１の状態になり、第２の積分電圧が参照電圧以下のときに出力が第２の状態になる第２の比較器と、一次コイルに対して並列に設けられて第１の比較器の出力及び第２の比較器の出力が共に第２の状態にあるときにオン状態になって一次コイルを短絡し、第１の比較器の出力または第２の比較器の出力の少なくとも一方が第１の状態にあるときにオフ状態になるように第１の比較器及び第２の比較器の出力に応じてオンオフ制御される回転速度制限用スイッチとにより構成される。
【００２１】
このように回転速度制限回路が構成される場合には、内燃機関の回転速度が制限値に達したときに一次コイルに第２の半波の電圧が誘起している間に第１の積分電圧が基準電圧を超えた状態になるように矩形波信号の時間幅と第１の積分コンデンサの充電時定数及び放電時定数とが設定され、内燃機関の回転速度が制限値に達したときにスイッチ制御回路が一次電流制御用スイッチをオフ状態にするタイミングよりも遅れたタイミングで第２の積分電圧が参照電圧を超えるように参照電圧のレベルが設定される。
【００２２】
回転速度制限回路が上記のように構成される場合には、第１の比較器の出力及び第２の比較器の出力が共に第２の状態にあるときにオン状態になるように警告表示用スイッチを設けて、該警告表示用スイッチがオン状態になった時に電源回路から該警告表示用スイッチを通して警告表示器に電流を流して警告表示動作を行わせる。
【００２３】
【発明の実施の形態】
以下図１及び図２を参照して本発明の実施形態を詳細に説明する。本発明は、内燃機関の気筒数の如何に関わりなく実施できるが、本実施形態では、機関の１気筒分の点火装置の構成を示す。
【００２４】
図１は、本発明に係わる内燃機関用点火装置の構成例を示したもので同図において、１は点火回路、２は機関の気筒に取り付けられた点火プラグ、３は回転速度制限回路、４は警告表示回路である。
【００２５】
点火回路１は、一端が接地された一次コイルＷ１及び二次コイルＷ２を有する点火コイル１Ａと、点火コイルの一次コイルＷ１に対して並列に接続された一次電流制御用スイッチ１Ｂと、スイッチ制御回路１Ｃとにより構成されている。
【００２６】
点火コイル１Ａは、内燃機関により駆動される磁石発電機内に設けられていて、その一次コイルＷ１には、図２（Ａ）に示すように、一方の極性（図示の例では負極性）の第１の半波の電圧Ｖ１１と、他方の極性（図示の例では正極性）の第２の半波の電圧Ｖ１２と、一方の極性（図示の例では負極性）の第３の半波の電圧Ｖ１３とが順次現れる１サイクル半の交流電圧が内燃機関の１回転あたり１回だけ誘起する。
【００２７】
図示の一次電流制御用スイッチ１Ｂは、ＮＰＮトランジスタをダーリントン接続した複合トランジスタからなっていて、そのコレクタが一次コイルＷ１の一端（接地側の端子）に接続され、エミッタが一次コイルＷ１の他端に接続されている。
【００２８】
スイッチ制御回路１Ｃは、トランジスタＴＲ１のコレクタベース間に接続された抵抗Ｒ１と、トランジスタＴＲ１のコレクタエミッタ間に接続された抵抗Ｒ２及びＲ３の直列回路と、トランジスタＴＲ１のベース及びエミッタにそれぞれアノード及びカソードが接続され、抵抗Ｒ２とＲ３との接続点にゲートが接続されたサイリスタＴｈとからなっている。
【００２９】
点火プラグ２は、高圧コードを通して点火コイルの二次コイルＷ２に接続されている。
【００３０】
図示の点火回路１においては、点火コイルの一次コイルＷ１に図示の実線矢印方向の第２の半波の電圧が誘起したときに、抵抗Ｒ１  を通して複合トランジスタＴＲ１にベース電流が与えられて該トランジスタがオン状態になる。これにより一次コイルＷ１からトランジスタＴＲ１を通して一次電流が流れ、該一次電流の上昇に伴ってトランジスタＴＲ１  のコレクタエミッタ間の電圧が上昇していく。トランジスタＴＲ１  のコレクタエミッタ間の電圧が設定値に達すると、抵抗Ｒ３  の両端の電圧がサイリスタＴｈのトリガ電圧に達して該サイリスタが導通する。サイリスタＴｈが導通すると、トランジスタＴＲ１のベース電流がサイリスタＴｈを通して側路されるため、トランジスタＴＲ１がオフ状態になる。このトランジスタＴＲ１  のオフ動作により、点火コイル１Ａの一次電流が遮断されるため、点火コイルの一次コイルにそれまで流れていた一次電流を流し続けようとする極性の高い電圧が誘起する。この電圧は点火コイルの一次、二次間の巻数比により昇圧されるため、点火コイルの二次コイルＷ２に点火用高電圧が誘起する。この高電圧は点火プラグ２に印加されるため、該点火プラグで火花放電が生じて機関が点火される。
【００３１】
図２（Ａ）は一次コイルＷ１の両端間に生ずる一次電圧Ｖ１  の波形を示している。一次電圧Ｖ１  は、内燃機関のクランク角位置θ１でその第１の半波の電圧Ｖ１１が立ち上がる。一次電圧の第２の半波の電圧Ｖ１２が立ち上がるとトランジスタＴＲ１がオン状態になり、点火コイルに一次電流が流れる。この例では、クランク角位置θｉ１の位置でトランジスタＴＲ１のコレクタエミッタ間の電圧が設定値に達してサイリスタＴｈが導通し、トランジスタＴＲ１がオフ状態になっている。このトランジスタＴＲ１のオフ動作により、点火コイルの一次コイルに高い電圧が誘起する。
【００３２】
回転速度制限回路３は、点火コイルの一次コイルＷ１に誘起する第１の半波の電圧Ｖ１１及び第３の半波の電圧Ｖ１３を一定の直流電圧に変換する電源回路３Ａと、タイマＩＣを用いて構成された矩形波信号発生回路３Ｂと、第１の積分回路３Ｃと、第２の積分回路３Ｄと、基準電圧／参照電圧発生回路３Ｅと、第１の比較器３Ｆ１及び第２の比較器３Ｆ２と、点火コイルの一次コイルに対して並列に接続された回転速度制限用スイッチ３Ｈとを備えている。
【００３３】
電源回路３Ａは、一次コイルの非接地側の端子から引き出された一次端子につながる共通ラインＣＬにアノードを接続したダイオードＤ１と、ダイオードＤ１のカソードに一端を接続したコンデンサＣ１と、点火コイルの一次コイルの接地側端子につながる接地ラインＧＬにカソードを接続し、アノードをコンデンサＣ１の他端に接続したダイオードＤ２と、ダイオードＤ１のアノードとダイオードＤ２のアノードとの間に接続された抵抗Ｒ４と、コンデンサＣ１の一端にアノードが接続されたダイオードＤ３と、ダイオードＤ３  のカソードと共通ラインＣＬとの間に接続されたコンデンサＣ２と、コンデンサＣ２の両端に接続されたツェナーダイオードＺＤ１とからなっている。
【００３４】
この電源回路においては、一次コイルＷ１に図示の破線矢印方向の第１及び第３の半波の電圧が誘起したときにコンデンサＣ１が図示の極性に充電され、コンデンサＣ１の両端の電圧によりダイオードＤ３と抵抗Ｒ４とを通してコンデンサＣ２が充電される。このコンデンサＣ２の充電電圧は、ツェナーダイオードＺＤ１のツェナー電圧に保たれる。
【００３５】
コンデンサＣ２の両端に得られる直流定電圧Ｖｃｃは、矩形波信号発生回路３Ｂと、基準電圧／参照電圧発生回路３Ｅと、第１及び第２の比較器３Ｆ及び３Ｇとに電源電圧として与えられている。
【００３６】
図示の電源回路３Ａはトリガ信号発生回路を兼ねていて、ダイオードＤ１  のカソードから引き出された端子ｔがトリガ信号出力端子となっている。トリガ信号出力端子ｔと共通ラインＣＬとの間に得られる電圧は、一次コイルＷ１が第１の半波の電圧Ｖ１１及び第３の半波の電圧Ｖ１３を発生してコンデンサＣ１の充電が開始される際に、ダイオードＤ１の順方向電圧降下に相当する低いレベルにまで落ち込んでコンデンサＣ１に充電電流が流れている間該低いレベルを維持し、コンデンサＣ１の充電が完了したときにコンデンサＣ２の端子電圧にほぼ等しいレベルまで上昇する。
【００３７】
従って、トリガ信号出力端子ｔと共通ラインＣＬとの間には、図２（Ｂ）に示すように、一次コイルが第１及び第３の半波の電圧Ｖ１１及びＶ１３をそれぞれ発生するクランク角位置θ１  及びθ２  で立ち下がる矩形波電圧Ｖｔ  が得られる。この例では、矩形波電圧Ｖｔ  のクランク角位置θ１  における立下りの電圧変化が、トリガ信号Ｖｔ１として矩形波信号発生回路３Ｂを構成するタイマＩＣのトリガ端子に与えられる。
【００３８】
なおクランク角位置θ２  の位置でも矩形波電圧Ｖｔ  の立ち下りの変化Ｖｔ２が現われるが、後述するようにこの立下りの変化Ｖｔ２によりタイマＩＣがトリガされることはない。
【００３９】
矩形波信号発生回路３Ｂは、タイマＩＣと、後記する第２の積分回路とにより、構成される。矩形波信号発生回路３Ｂを構成するタイマＩＣは、プラス側及びマイナス側の電源端子ｂ１及びｂ２と、トリガ端子ｂ３と、出力端子ｂ４と、ディスチャージ端子ｂ５と、スレショールド端子ｂ６とを有していて、マイナス側電源端子ｂ２が共通ラインＣＬに接続されている。タイマＩＣの電源端子ｂ１，ｂ２間には、電源回路３Ａから電源電圧が印加され、トリガ端子ｂ３に矩形波電圧Ｖｔが与えられている。タイマＩＣの出力端子ｂ４とプラス側電源端子ｂ１との間に抵抗Ｒ５が接続され、出力端子ｂ４と共通ラインＣＬとの間に抵抗Ｒ６を通して第１の積分コンデンサＣ３が接続されている。また電源端子ｂ１と共通ラインＣＬとの間に抵抗Ｒ７を通して第２の積分コンデンサＣ４が接続され、抵抗Ｒ７と第２の積分コンデンサＣ４との接続点がディスチャージ端子ｂ５及びスレショールド端子ｂ６に接続されている。
【００４０】
図示のタイマＩＣは、トリガ端子ｂ３にトリガ信号が与えられたときにセットされるフリップフロップ回路と、該フリップフロップ回路がリセットされているとき及びセットされているときにそれぞれオン状態及びオフ状態になるディスチャージトランジスタとを有していて、ディスチャージトランジスタがオン状態にあるときに、ディスチャージ端子ｂ５がマイナス側電源端子ｂ２と同電位になるようになっている。
【００４１】
クランク角位置θ１で矩形波電圧Ｖｔが立ち下がり、タイマＩＣにトリガ信号が与えられると、その内部のフリップフロップ回路がセットされて出力端子ｂ４の電位が高レベルになり、ディスチャージトランジスタがオフ状態になる。このとき、電源回路３Ａの出力電圧により、抵抗Ｒ５及びＲ６を通して第１の積分コンデンサＣ３が充電されるとともに、抵抗Ｒ７を通して第２の積分コンデンサＣ４が充電される。
【００４２】
第２の積分コンデンサＣ４の両端の電圧が所定のスレショールドレベルに達すると、フリップフロップ回路がリセットされ、出力端子ｂ４の電位がマイナス側電源端子ｂ２の電位に等しくなる。このときディスチャージトランジスタがオン状態になるため、ディスチャージ端子ｂ５の電位がマイナス側電源端子ｂ２の電位に等しくなり、第２の積分コンデンサＣ４の電荷が瞬時に放電させられる。
【００４３】
また第１の積分コンデンサＣ３の電荷は、抵抗Ｒ６と、タイマＩＣ内のフリップフロップ回路を構成しているスイッチ素子とを通して一定の時定数で放電させられる。
【００４４】
クランク角位置θ２で矩形波電圧Ｖｔが立ち下がると、タイマＩＣに再度トリガ信号Ｖｔ２が与えられるが、タイマＩＣ内のフリップフロップ回路は、一度セットされるとリセットされるまでの間は状態を変化させることがないため、クランク角位置θ２の位置でトリガ端子ｂ３に再度トリガ信号が与えられても、タイマＩＣが再トリガされることはない。
【００４５】
従って、タイマＩＣの出力端子ｂ４には、図２（Ｃ）に示すように、クランク角位置θ１で立ち上がって一定の時間幅Ｔを有する矩形波信号Ｖｑが得られる。また第１の積分コンデンサＣ３の両端には、図２（Ｄ）に示すように、矩形波信号Ｖｑが発生している間所定の傾きで上昇し、矩形波信号Ｖｑが消滅している間所定の傾きで下降する三角波形の第１の積分電圧Ｖｃ１が得られる。
【００４６】
また第２の積分コンデンサＣ４の両端には、図２（Ｅ）に示すように、矩形波信号が発生したときに零レベルから所定の傾きで上昇し、矩形波信号が消滅した時に瞬時に零レベルにもどる波形の第２の積分電圧Ｖｃ２が得られる。
【００４７】
この例では、抵抗Ｒ５と第１の積分コンデンサＣ３と、タイマＩＣ内のフリップフロップ回路を構成するスイッチ素子とにより、矩形波信号発生回路が矩形波信号Ｖｑを発生している期間第１の積分コンデンサＣ１を一定の時定数で充電し、矩形波信号Ｖｑが消滅している期間第１の積分コンデンサＣ１を一定の時定数で放電させて第１の積分コンデンサＣ１の両端に第１の積分電圧Ｖｃ１を発生させる第１の積分回路３Ｃが構成されている。
【００４８】
また抵抗Ｒ７と第２の積分コンデンサＣ４と、タイマＩＣ内のディスチャージトランジスタとにより、矩形波信号Ｖｑが発生している間第２の積分コンデンサＣ２を一定の時定数で充電し、矩形波信号Ｖｑが消滅したときに第２の積分コンデンサを瞬時に放電させて第２の積分コンデンサの両端に第２の積分電圧を発生させる第２の積分回路３Ｄが構成されている。
【００４９】
この第２の積分回路３ＤとタイマＩＣとにより矩形波信号発生回路３Ｂが構成され、第２の積分コンデンサの充電時定数により、矩形波信号発生回路３Ｂが出力する矩形波信号の時間幅が決められる。
【００５０】
基準電圧／参照電圧発生回路３Ｅは、電源回路３Ａの出力端子間に接続された抵抗Ｒ８ないしＲ１０の直列回路からなっていて、抵抗Ｒ９とＲ１０との直列回路の両端に基準電圧Ｖｒ１を発生し、抵抗Ｒ１０の両端に参照電圧Ｖｒ２を発生する。
【００５１】
第１の積分電圧Ｖｃ１及び基準電圧Ｖｒ１は第１の比較器３Ｆ１の非反転入力端子及び反転入力端子にそれぞれ入力され、第２の積分電圧Ｖｃ２及び参照電圧Ｖｒ２は第２の比較器３Ｆ２の反転入力端子及び非反転入力端子にそれぞれ入力されている。
【００５２】
第１の比較器３Ｆ１の出力端子及び第２の比較器３Ｆ２の出力端子は、アンド回路を構成するように共通に接続されていて、両比較器の出力端子の共通接続点が抵抗Ｒ１１を通して電源回路３Ａのプラス側出力端子に接続されている。
【００５３】
第１の比較器３Ｆは、第１の積分電圧Ｖｃ１を基準電圧Ｖｒ１と比較して第１の積分電圧Ｖｃ１が基準電圧Ｖｒ１以下のときに出力が第１の状態（低レベルの状態）になり、第１の積分電圧Ｖｃ１が基準電圧Ｖｒ１を超えたときに出力が第２の状態（高レベルの状態）になる。
【００５４】
また第２の比較器３Ｆ２は、第２の積分電圧Ｖｃ１を参照電圧Ｖｒ２と比較して、第２の積分電圧Ｖｃ１が参照電圧Ｖｒ２を超えたときに出力が第１の状態（低レベルの状態）になり、第２の積分電圧Ｖｃ２が参照電圧Ｖｒ２以下のときに出力が第２の状態（高レベルの状態）になる。
【００５５】
この例では、第１の比較器３Ｆ１及び第２の比較器３Ｆ２により比較回路３Ｆが構成されていて、第１の比較器３Ｆ１の出力及び第２の比較器３Ｆ２の出力の少なくとも一方が第１の状態（低レベルの状態）にあるときに比較回路３Ｆの出力が第１の状態を示し、第１の比較器３Ｆ１の出力及び第２の比較器３Ｆ２の出力が共に第２の状態（高レベルの状態）にあるときに比較回路３Ｆの出力が第２の状態を示すようになっている。
【００５６】
回転速度制限用スイッチ３Ｈは、ＮＰＮトランジスタをダーリントン接続した複合トランジスタＴＲ２からなっていて、そのコレクタは接地ラインＧＬを通して点火コイルの一次コイルＷ１の一端に接続され、そのエミッタは、共通ラインＣＬを通して点火コイルの一次コイルＷ１の他端に接続されている。
【００５７】
トランジスタＴＲ２のベースには抵抗Ｒ１２の一端が接続され、抵抗Ｒ１２の他端は、比較回路３Ｆの出力端子（第１の比較器３Ｆ１の出力端子と第２の比較器３Ｆ２の出力端子との共通接続点）にアノードを接続したダイオードＤ４のカソード、及び共通ラインＣＬにアノードを接続したダイオードＤ５のカソードに接続されている。
【００５８】
トランジスタＴＲ２  は、比較回路３Ｆの出力が第１の状態（低レベルの状態）にある時にオフ状態となり、比較回路３Ｆの出力が第２の状態（高レベルの状態）にある時にオン状態となるように、比較回路１３の出力に応じてオンオフ制御される。
【００５９】
矩形波信号発生回路３Ｂから出力される矩形波信号Ｖｑ  の時間幅Ｔが一定である場合には、内燃機関の回転速度が高くなればなるほど第１の積分コンデンサＣ３が放電する時間が短くなるため、第１の積分回路３Ｃが発生する第１の積分電圧Ｖｃ１のレベルが内燃機関の回転速度の上昇に伴って高くなっていき、該第１の積分電圧Ｖｃ１が基準電圧Ｖｒ１を超えるクランク角位置が、回転速度の上昇に伴って進んでいく。
【００６０】
また、内燃機関の回転速度が一定である場合には、矩形波信号Ｖｑの時間幅Ｔが短かければ短いほど、第１の積分コンデンサＣ３の充電時間が短くなるとともに放電時間が長くなって第１の積分電圧Ｖｃ１のレベルが低くなるため、矩形波信号の時間幅Ｔが短くなるに従って第１の積分電圧Ｖｃ１が基準電圧Ｖｒ１を超えるクランク角位置が遅れていく。
【００６１】
本発明においては、内燃機関の回転速度Ｎが制限値Ｎｓ  に達したときに、スイッチ制御回路１Ｃが一次電流制御用スイッチ１Ｂをオン状態からオフ状態にするクランク角位置θｉ１で第１の積分電圧Ｖｃ１が基準電圧Ｖｒ１を超えるように、矩形波信号Ｖｑの時間幅Ｔと、第１の積分コンデンサの充電時定数及び放電時定数が設定されている。
【００６２】
また、図１に示した例では、内燃機関の回転速度Ｎが制限値Ｎｓ  に達したときに、スイッチ制御回路１Ｃにより一次電流制御用スイッチ１Ｂがオフ状態にされるクランク角位置θｉ１よりも遅れた（一般的には１５°〜２５°遅れた）クランク角位置で第２の積分電圧Ｖｃ２が参照電圧Ｖｒ２を超えるように、該参照電圧Ｖｒ２のレベルが設定されている。
【００６３】
矩形波信号Ｖｑの時間幅Ｔは、抵抗Ｒ７の抵抗値により調整することができ、参照電圧Ｖｒ２のレベルは、基準電圧／参照電圧発生回路３Ｅの抵抗Ｒ９  及びＲ１０の抵抗値の和を変えないで抵抗Ｒ９  とＲ１０の抵抗値の比を変えることによって調整することができる。
【００６４】
本発明において特に設けられた警告表示回路４は、ＮＰＮトランジスタＴＲ３と、抵抗Ｒ１３及びＲ１４と、発光ダイオードＬＤとにより構成されている。トランジスタＴＲ３のエミッタは共通ラインＣＬに接続され、トランジスタＴＲ３のベースは抵抗Ｒ１３を通して比較回路３Ｆの出力端子に接続されている。そして、トランジスタＴＲ３のコレクタと電源回路３Ａのプラス側出力端子との間に抵抗Ｒ１４を通して発光ダイオードＬＤが、そのカソードをトランジスタＴＲ３のコレクタ側に向けた状態で接続され、トランジスタＴＲ３がオン状態になったときに、電源回路３Ａから抵抗Ｒ１４と発光ダイオードＬＤと、トランジスタＴＲ３とを通して駆動電流が流れて、発光ダイオードＬＤが発光するようになっている。
【００６５】
図示の例では、トランジスタＴＲ３により警告表示用スイッチが構成され、発光ダイオードＬＤにより警告表示器が構成されている。
【００６６】
ここで図１に示した内燃機関用点火装置の回転速度制限動作を、図２を参照して説明する。図２は、図１の回路の各部の電圧波形を内燃機関のクランク角θに対して示したものである。図２において、実線で示した波形は内燃機関の回転速度Ｎが制限値Ｎｓ  のとき、また破線で示した波形及びダッシュ（´）を付した記号は、内燃機関の回転速度Ｎが制限値Ｎｓ  よりも低いときのものである。
【００６７】
内燃機関のクランク角位置θ１  で点火コイルの一次コイルＷ１に図示の破線矢印方向の第１の半波の電圧Ｖ１１が誘起すると、電源回路３Ａが発生する矩形波電圧Ｖｔ（図２Ｂ）が立ち下がるため、その立下がりの変化Ｖｔ１でタイマＩＣがトリガされて、該タイマＩＣから時間幅Ｔが一定の矩形波信号Ｖｑが発生する。
【００６８】
内燃機関の回転速度が制限値Ｎｓよりも低いときには、図２（Ｃ）に破線で示したように、一定の時間幅Ｔを有する矩形波信号Ｖｑ´が、クランク角位置θ１  からθ３  ´までの間高レベルの状態を示し、θ３  ´から次のサイクルのクランク角位置θ１  までの間低レベルの状態を保持する。
【００６９】
第１の積分コンデンサＣ３は、矩形波信号Ｖｑ´が高レベルになっている間充電され、矩形波信号Ｖｑ´が低レベルとなっている間放電させられる。従って、第１の積分回路３Ｃは、図２（Ｄ）に破線で示した三角波形の第１の積分電圧Ｖｃ１´を発生する。
【００７０】
第１の比較器３Ｆ１は、第１の積分電圧Ｖｃ１´を基準電圧Ｖｒ１と比較して、図２（Ｄ）に示すように、積分電圧Ｖｃ１´が基準電圧Ｖｒ１以下になるクランク角位置θｔ２´からクランク角位置θｔ１´までの区間その出力端子の電位を低レベルの状態（第１の状態）とし、積分電圧Ｖｃ１´が基準電圧Ｖｒ１を超えた状態となるクランク角位置θｔ１´らθｔ２´までの区間その出力端子の電位を高レベルの状態（第２の状態）とする。
【００７１】
他方、第２の積分回路３Ｄが発生する第２の積分電圧の波形は、図２（Ｅ）に破線で示したＶｃ２´のようになる。第２の比較器３Ｆ２は、第２の積分電圧Ｖｃ２´を参照電圧Ｖｒ２と比較して、積分電圧Ｖｃ２´が参照電圧Ｖｒ２を超えた状態になるクランク角位置θｓ  ´からクランク角位置θ３  ´までの区間その出力端子の電位を低レベルの状態（第１の状態）とし、積分電圧Ｖｃ２´が参照電圧Ｖｒ２以下の状態となる各サイクルのクランク角位置θ３  ´から次のサイクルのクランク角位置θｓ  ´までの区間その出力端子の電位を高レベルの状態（第２の状態）にする。
【００７２】
第１の比較器３Ｆ１及び第２の比較器３Ｆ２の出力は、クランク軸がクランク角位置θ３  ´からθｔ２´まで回転する間共に高レベルの状態（第２の状態）になる。従って、クランク角位置θ３  ´からθｔ２´までの間、比較回路３Ｆの出力が、図２（Ｆ）に破線で示した波形Ｖｓ  ´のように高レベルの状態を保持し、回転速度制限用スイッチ３Ｈを構成するトランジスタＴＲ２  がオン状態になる。
【００７３】
内燃機関の回転速度が制限値Ｎｓ  よりも低い状態では、点火回路１のスイッチ制御回路１Ｃが一次電流制御用スイッチ１Ｂをオフ状態にする（一次電流を遮断する）クランク角位置θｉ１よりも遅れたクランク角位置θ３  ´で、トランジスタＴＲ２がオン状態になるため、機関の点火時期が回転速度制限回路３の影響を受けることはない。
【００７４】
本実施形態では、内燃機関の回転速度が制限値Ｎｓよりも低く設定された設定値以下のときに、第１の積分電圧Ｖｃ１´が基準電圧Ｖｒ１に達することがないようになっている。従って、回転速度が設定値以下のときには、比較器３Ｆ１の出力が第２の状態（高レベルの状態）になることがなく、回転速度制限用スイッチ３Ｈはオフ状態に保持されたままとなる。
【００７５】
また内燃機関の回転速度が制限値Ｎｓ  に達したときに、第１の積分電圧Ｖｃ１が基準電圧Ｖｒ１を超えるクランク角位置θｔ１と点火回路１のスイッチ制御回路３Ｂが一次電流制御用スイッチ１Ｂをオフ状態にするクランク角位置θｉ１とが一致するように、矩形波信号Ｖｑの時間幅と第１の積分コンデンサの充電時定数及び放電時定数とが設定され、第２の積分電圧Ｖｃ２が参照電圧Ｖｒ２を超えるクランク角位置θｓ  がクランク角位置θｉ１よりも遅れた位置になるように、参照電圧Ｖｒ２のレベルが設定されている。
【００７６】
内燃機関の回転速度が制限値Ｎｓ  を超える領域では、クランク角位置θｉ１でスイッチ制御回路１Ｃが一次電流制御用スイッチ１Ｂをオフ状態にした後、回転速度制限用スイッチ３Ｈを構成するトランジスタＴＲ２  がオン状態を保持して点火コイルの一次電流をクランク角位置θｓ  まで流し続け、クランク角位置θｓでトランジスタＴＲ２がオフ状態になったときに、点火コイルの一次電流が遮断される。従って、内燃機関の回転速度が制限値Ｎｓ  を超える領域では機関の点火位置がクランク角位置θｓ（図２Ａにおけるクランク角位置θｉ２）まで遅れる。
【００７７】
このように、回転速度Ｎが制限値Ｎｓ  を超えると、点火位置θｉ  がθｉ１からθｉ２まで急激に遅角するため、機関の回転速度が低下する。回転速度が制限値Ｎｓ  よりも低くなると点火位置が再びθｉ１に復帰して回転速度が上昇する。これらの動作の繰り返しにより、回転速度がほぼ制限値Ｎｓ  以下に制限されて、内燃機関の回転速度が制限値を超えるのが防止される。点火位置の遅角量（θｉ１−θｉ２）は、例えば１５°〜２５°に選定するのが適当である。
【００７８】
警告表示回路４のトランジスタＴＲ３は、機関の回転速度が設定値を超えて第１の積分電圧Ｖｃ１が基準電圧Ｖｒ１を超えるようになったときに、比較回路３Ｆの出力が第２の状態（高レベルの状態）になっている間オン状態になって発光ダイオードＬＤを発光させ、警告表示動作を行わせる。
【００７９】
内燃機関の回転速度が設定値以下で、第１の積分電圧Ｖｃ１が基準電圧Ｖｒ１を超えないときには、比較回路３Ｆの出力が第２の状態になることがないため、トランジスタＴＲ３がオン状態になることはなく、警告表示動作は行われない。
【００８０】
このように、本発明においては、内燃機関の回転速度が制限値に近づいたときに警告表示用スイッチをオン状態にして、警告表示動作を行わせるため、機関の回転速度が制限値に近づいていることを運転者に知らせることができ、回転速度が過度に上昇している状態で運転が継続されて機関が破損するのを防ぐことができる。
【００８１】
図１に示した実施形態では、矩形波信号発生回路３Ｂと、比較回路３Ｆとにより、内燃機関の回転速度が設定値以下のときには回転速度制限用スイッチ３Ｈをオフ状態に保持し、回転速度が設定値を超える領域では内燃機関の回転速度の上昇に伴って回転速度制限用スイッチをオン状態にするタイミングを進めて回転速度が設定値よりも高い値に設定された制限値に達したときにスイッチ制御回路が一次電流制御用スイッチをオン状態からオフ状態にするタイミングで回転速度制限用スイッチをオン状態にするように、内燃機関の回転速度に応じて回転速度制限用スイッチを制御する回転速度制限用スイッチ制御部が構成され、この回転速度制限用スイッチ制御部と、電源回路３Ａと、回転速度制限用スイッチ３Ｈとにより、回転速度制限回路３が構成されている。
【００８２】
図３は、本発明に係わる内燃機関用点火装置の他の実施形態を示したものである。図３に示した内燃機関用点火装置は、図１に示した点火装置から第２の比較器３Ｆ２を省略して第１の比較器３Ｆ１のみにより比較回路を構成した点、及び抵抗Ｒ８及びＲ９により基準電圧Ｖｒ１を発生する基準電圧発生回路が構成されている点を除き、図１に示した例と同様に構成されている。
【００８３】
図４は、図３の回路の各部の電圧波形を内燃機関のクランク軸の回転角θに対して示したもので、図４（Ｂ）ないし（Ｄ）に示された波形はそれぞれ図２（Ｂ）ないし（Ｄ）に示された波形と同様である。図２（Ｅ）に示した第２の積分電圧の波形は省略され、比較器３Ｆ１の出力波形が図４（Ｅ）に示されている。
【００８４】
図３に示した実施形態では、比較器３Ｆ１が第１の積分電圧Ｖｃ１を基準電圧Ｖｒ１と比較して、第１の積分電圧Ｖｃ１が基準電圧Ｖｒ１以下のときにその出力を第１の状態（この例では低レベルの状態）とし、第１の積分電圧Ｖｃ１が基準電圧Ｖｒ１を超えているときにその出力を第２の状態（この例では高レベルの状態）とする。
【００８５】
この例では、比較器１３Ｆ１の出力が低レベルの状態にあるときに回転速度制限用スイッチ３Ｈ（トランジスタＴＲ２）がオフ状態を保持し、比較器３Ｆ１の出力が高レベルの状態にあるときにトランジスタＴＲ２がオン状態を保持する。この例においても、内燃機関の回転速度Ｎが制限値Ｎｓ  に達したときに、スイッチ制御回路３Ｂが一次電流制御用スイッチ３Ａをオン状態からオフ状態にするクランク角位置θｉ１で第１の積分電圧Ｖｃ１が基準電圧Ｖｒ１を超えるように、矩形波信号Ｖｑ  の時間幅Ｔと、第１の積分コンデンサの充電時定数及び放電時定数が設定されている。
【００８６】
内燃機関の回転速度が制限値Ｎｓよりも低いときには、第１の積分回路３Ｃで発生する第１の積分電圧Ｖｃ１が図４（Ｄ）に破線で示した波形Ｖｃ１´のようになり、該積分電圧Ｖｃ１´はクランク角位置θｔ１´からθｔ２´までの間基準電圧Ｖｒ１を超えた状態となって、比較器３Ｆ１の出力が図４（Ｅ）に破線で示した波形Ｖｓ  ´のようにクランク角位置θｔ１´からθｔ２´までの間高レベルの状態（第２の状態）となる。従って、回転速度制限用スイッチ３Ｈ（トランジスタＴＲ２）がクランク角位置θｔ１´からθｔ２´までの間オン状態になるが、クランク角位置θｔ１´は一次電流制御用スイッチ１Ａがオン状態からオフ状態にされるクランク角位置θｉ１よりも遅れた位置であるので、内燃機関の点火時期が影響を受けることはない。
【００８７】
内燃機関の回転速度が制限値Ｎｓに達すると、第１の積分回路３Ｃで発生する第１の積分電圧Ｖｃ１が図４（Ｄ）に実線で示した波形Ｖｃ１のようになり、クランク角位置θｔ１からθｔ２までの間積分電圧Ｖｃ１が基準電圧Ｖｒ１を超えた状態となって、比較器３Ｆ１の出力が図４（Ｅ）に実線で示す波形Ｖｓ  のようにクランク角位置θｔ１からθｔ２までの間高レベルの状態（第２の状態）を保持する。従って、回転速度制限用スイッチ３Ｈはクランク角位置θｔ１からθｔ２までの間オン状態を保持する。回転速度が制限値Ｎｓ  に達したときにクランク角位置θｔ１と一次電流制御用スイッチ１Ｂがオフ状態にされるクランク角位置θｉ１とが一致するように設定されているため、回転速度が制限値Ｎｓ  を超えると、クランク角位置θｉ１で一次電流制御用スイッチ１Ｂが遮断されても回転速度制限用スイッチ３Ｈを通して点火コイルの一次電流が流れ続けるようになり、点火用高電圧の発生が停止する。従って機関が失火状態となり、その回転速度が制限値を超えるのが防止される。
【００８８】
なお、内燃機関の回転速度が制限値Ｎｓに達したときに、第１の積分電圧Ｖｃ１の波高位置付近がクランク角位置θｉ１で基準電圧Ｖｒ１を超えるように設定しておけば、回転速度が制限値Ｎｓを超えたときに回転速度制限用スイッチ３Ｈがオン状態になった後再びオフ状態にされるクランク角位置θｔ２を、一次コイルＷ１が第２の半波の電圧Ｖ１２を発生している区間に位置させるようにすることができる。このように設定した場合には、回転速度が制限値Ｎｓを超えたときに機関を失火させることなく、点火時期を遅角させることにより内燃機関の回転速度を制限値以下に制限する動作を行わせることができる。
【００８９】
本実施形態においても、警告表示回路４のトランジスタＴＲ３は、内燃機関の回転速度が制限値に近づいて、第１の積分電圧Ｖｃ１が基準電圧Ｖｒ１を超えるようになったときに、比較器３Ｆ１の出力が第２の状態（高レベルの状態）になっている間オン状態になって発光ダイオードＬＤを発光させ、警告表示動作を行わせる。
【００９０】
上記の実施形態では、スイッチ制御回路１Ｃを構成するスイッチ素子としてサイリスタＴｈを用いたが、このスイッチ素子はオンオフ制御が可能なものであればよく、サイリスタＴｈに代えてトランジスタ等の他のスイッチ素子を用いることもできる。
【００９１】
また上記の実施形態では、回転速度制限用スイッチ３ＨとしてトランジスタＴＲ２を用いたが、このスイッチ３Ｈもオンオフ可能なスイッチ素子からなっていればよく、ＭＯＳＦＥＴなどの他の半導体素子によりこのスイッチ３Ｈを構成することもできる。
【００９２】
上記の実施形態では、警告表示器として発光ダイオードを用いたが、ブザーのような発音表示手段を警告表示器として用いてもよい。
【００９３】
【発明の効果】
以上のように、本発明によれば、機関の回転速度が制限値に近づいた時に警告表示用スイッチを駆動して警告表示器に表示動作を行わせるようにしたため、機関の回転速度が制限値に近づいていることを運転者に知らせることができ、回転速度が過度に上昇している状態で運転が継続されて機関が破損するのを防ぐことができる。
【図面の簡単な説明】
【図１】本発明の一実施形態の構成を示した回路図である。
【図２】図１の点火装置の各部の電圧、電流波形等を機関のクランク角に対して示した波形図である。
【図３】本発明の他の実施形態の構成を示した回路図である。
【図４】図３の点火装置の各部の電圧、電流波形等を機関のクランク角に対して示した波形図である。
【符号の説明】
１…点火回路、１Ａ…点火コイル、Ｗ１…一次コイル、Ｗ２…二次コイル、１Ｂ…一次電流制御用スイッチ、１Ｃ…スイッチ制御回路、３…回転速度制限回路、３Ａ…回転速度制限用スイッチ、３Ｂ…矩形波信号発生回路、３Ｃ…第１の積分回路、３Ｆ１…第１の比較器、３Ｆ２…第２の比較器、３Ｈ…回転速度制限用スイッチ、４…警告表示回路、ＴＲ３…トランジスタ（警告表示用スイッチ）、ＬＤ…発光ダイオード（警告表示器）。
【図１】
2004353534.tif 000003
【図２】
2004353534.tif 000004
【図３】
2004353534.tif 000005
【図４】
2004353534.tif 000006